(57)【要約】      （修正有）【課題】フォーカス記録層とは異なる他の記録層の記録部及び未記録部の境界付近に光ビームが照射され反射された戻りの光ビームが受光部に入射された場合の記録部及び未記録部の反射率の違いにより検出信号にノイズ成分が発生することを防止する。【解決手段】光ビームの入射方向に一又は複数の記録層を有する光ディスクに対して情報の記録／再生を行う光ピックアップ７において、光源３１から出射された光ビームを回折して主ビーム及び副ビームに分割する回折素子３２と、光ディスク２からの戻り光のうち主ビームを受光する主受光部と、副ビームを受光する副受光部とを有する光検出器３４とを備え、副受光部は、光ディスクの半径方向に対応する第１の方向と、第１の方向に直交する第２の方向とに対して少なくともその一部が傾斜した分割線により分割されている。【選択図】図３
2008140422.tif 000002
【特許請求の範囲】
【請求項１】
光ビームの入射方向に一又は複数の記録層を有する光ディスクに対して情報の記録及び／又は再生を行う光ピックアップにおいて、
所定の波長の光ビームを出射する光源と、
上記光源から出射された光ビームを回折して主ビーム及び副ビームに分割する回折素子と、
上記回折素子に分割された上記主ビーム及び上記副ビームをそれぞれ光ディスクの記録層に集光する対物レンズと、
上記光ディスクからの戻り光のうち主ビームを受光する主受光部と、上記戻り光のうち副ビームを受光する副受光部とを有する光検出器とを備え、
上記副受光部は、光ディスクの半径方向に対応する上記副受光部上の第１の方向と、上記第１の方向に直交する第２の方向とに対して少なくともその一部が傾斜した分割線により第１の受光領域と第２の受光領域とに分割され、
上記第１の受光領域と上記第２の受光領域とは、上記第１の方向のいずれの位置においても、上記第２の方向の寸法が等しく形成されている光ピックアップ。
【請求項２】
上記副受光部は、上記第１の方向と、上記第２の方向とに対して傾斜した分割線により２分割され、
上記第１の受光領域は、上記分割線により２分割された領域の一方の領域であり、
上記第２の受光領域は、上記分割線により２分割された領域の他方の領域である請求項１記載の光ピックアップ。
【請求項３】
上記副受光部は、上記第１の方向と上記第２の方向とに対して少なくともその一部が傾斜した複数の分割線により複数の受光部に分割され、
上記第１の受光領域は、上記複数の受光部のうち一又は複数の受光部からなり、
上記第２の受光領域は、上記複数の受光部のうち残りの一又は複数の受光部からなり、
上記第１の受光領域と上記第２の受光領域とは、上記第１の方向のいずれの位置においても、それぞれの一又は複数の受光部の上記第２の寸法の合計が等しく形成されている請求項１記載の光ピックアップ。
【請求項４】
上記第１の受光領域は、上記副ビームが上記光ディスクの記録層に集光されて反射される際に回折されることにより発生する±１次回折光と、上記副ビームが上記光ディスクの記録層で反射された０次光とが上記副受光部上で重複される重複部分のいずれか一方の大部分を受光するように形成され、
上記第２の受光領域は、上記重複部分の他方の大部分を受光するように形成されている請求項１記載の光ピックアップ。
【請求項５】
光ビームの入射方向に一又は複数の記録層を有する光ディスクに対して情報の記録及び／又は再生を行う光ピックアップと、上記光ディスクを回転する回転駆動手段とを備える光ディスク装置において、
上記光ピックアップは、所定の波長の光ビームを出射する光源と、
上記光源から出射された光ビームを回折して主ビーム及び副ビームに分割する回折素子と、
上記回折素子に分割された上記主ビーム及び上記副ビームをそれぞれ光ディスクの記録層に集光する対物レンズと、
上記光ディスクからの戻り光のうち主ビームを受光する主受光部と、上記戻り光のうち副ビームを受光する副受光部とを有する光検出器とを備え、
上記副受光部は、光ディスクの半径方向に対応する上記副受光部上の第１の方向と、上記第１の方向に直交する第２の方向とに対して少なくともその一部が傾斜した分割線により第１の受光領域と第２の受光領域とに分割され、
上記第１の受光領域と上記第２の受光領域とは、上記第１の方向のいずれの位置においても、上記第２の方向の寸法が等しく形成されている光ディスク装置。
【発明の詳細な説明】
【技術分野】
【０００１】
本発明は、光ディスクに情報信号の記録を行い、光ディスクに記録された情報信号の再生を行うために用いられる光ピックアップ及びこれを用いた光ディスク装置に関する。
【背景技術】
【０００２】
従来、情報信号の記録媒体として、ＣＤ（Compact Disc）、ＤＶＤ(Digital Versatile Disc)等の光ディスクが用いられ、この種の光ディスクに情報信号の記録を行い、あるいは光ディスクに記録された情報信号の再生を行うための光ディスク装置があり、この光ディスク装置には、光ディスクの半径方向へ移動され、この光ディスクに対して光ビームを照射する光ピックアップが設けられている。
【０００３】
この光ピックアップは、一般的に、光源、ビームスプリッタ、対物レンズ、受光素子等を有しており、光源から出射された光ビームがビームスプリッタを透過して、対物レンズによって集光されて光ディスクの記録層に光ビームのスポットが形成される。また、光ディスクの記録層に集光された光ビームは、反射されて再びビームスプリッタに入射され、このビームスプリッタによって光路が変更されて受光素子に入射される。
【０００４】
光ディスクには、単一の記録層を有する一層型のタイプのものと、記録層が複数設けられている多層型のタイプのものがある。この多層型の光ディスクにおいて、例えば、一の記録層に光ビームが集光されている場合に、この一の記録層に隣接する他の記録層等でも光ビームが反射されることとなる。
【０００５】
また、光ディスクには、再生専用型として凹凸ピット型の光ディスクと、追記用又は書換え用として相変化型、有機色素型等の光ディスクとが存在する。そして、例えば、この相変化型の光ディスクの記録層では、記録を行う前の初期状態では結晶状態であるのに対し、記録後は非結晶状態となっていることから、一般的に、結晶状態となる未記録部（未記録領域）と非結晶状態となる記録部（記録領域）とでは、反射率及び透過率が異なる。尚、ここで、記録部の反射率が未記録部の反射率に比べて低くなる場合と、記録部の反射率が未記録部の反射率に比べて高くなる場合のいずれの場合もあり得る。
【０００６】
そして、このような追記、書き換え型で且つ複数の記録層を有する光ディスクにおいて、記録再生を行う記録層以外の他の記録層における光ビーム内を反射率が異なる記録部と未記録部との境界が通過する際、記録再生を行う記録層以外の他の記録層からの反射光（以下、「他層光」ともいう。）内部でも光量が高い部分と低い部分の境界が通過することとなる。通常の光記録媒体では、この境界線は記録トラックを走査する方向であるタンジェンシャル方向を向いており、記録トラックが並ぶ方向であるラディアル方向に移動する。
【０００７】
すなわち、記録再生を行う記録層の集光される位置に応じて、他の記録層で反射される光ビームが記録領域と未記録領域との境界位置付近で反射された場合、この他の記録層からの反射光内部でも光量が高い明るい部分と光量が低い暗い部分とが存在することとなる。そして、通常の光ディスクでは、この反射光内部の明るい部分と暗い部分との境界線がタンジェンシャル方向を向いており、記録再生を行う記録層の集光される位置に応じてラディアル方向に移動することとなる。
【０００８】
ところで、光ピックアップに、フォーカスエラー検出方式として非点収差法を採用するために、検出光路内にラディアル方向に対して４５度方向に非点収差を付加させる手段としてのシリンダーレンズ等を用いる場合もあるが、このような非点収差を付加させる素子を用いない場合には、光ディスクの案内溝（グルーブ）によって変調された信号及び対物レンズオフセット信号を検出するための（サブビーム用の）受光部の分割線方向と、この記録領域と未記録領域との境界による他層光内の明暗分布の境界方向とが一致することとなる。
【０００９】
通常、光ビームが集光され情報の記録又は再生が行われる記録層（以下、「フォーカス記録層」ともいう。）からの戻り光は、十分集光した位置で光検出器にて受光され、他の記録層からの戻り光（他層光）は、光検出器上では大きくデフォーカスした状態で入射されているため、フォーカス記録層からの戻り光と他の記録層からの戻り光との単位面積あたりの光量比は十分大きく、上述したような記録部及び未記録部の境界により他層光の光量変化があっても、あまり問題になることはない。
【００１０】
しかしながら、トラッキングエラー検出等のために回折素子等で補助光として副ビームを主ビームから回折して生成する場合、この副ビームの光量は主ビームに比べて小さく、結果として他層光との光量比が小さく、上述のような記録部と未記録部との境界による光量変化が受光部で検出する信号に対して大きなノイズ成分となり問題となる。
【００１１】
【特許文献１】特開２００５−２９３８０７号公報
【発明の開示】
【発明が解決しようとする課題】
【００１２】
本発明の目的は、情報の記録又は再生を行うフォーカス記録層からの受光部への戻り光に対して、このフォーカス記録層とは異なる他の記録層で反射された光ビームが入射してしまう際に、この他の記録層に照射され反射される光ビームが他の記録層の記録部及び未記録部の境界に位置する場合の、記録部と未記録部との反射率の違いによる他の記録層で反射された光ビームの影響を低減して、受光部上のスポットにより検出される信号にノイズ成分が発生することを防止して良好な各種信号を得ることができる光ピックアップ及び光ディスク装置を提供することにある。
【課題を解決するための手段】
【００１３】
この目的を達成するため、本発明に係る光ピックアップは、光ビームの入射方向に一又は複数の記録層を有する光ディスクに対して情報の記録及び／又は再生を行う光ピックアップにおいて、所定の波長の光ビームを出射する光源と、上記光源から出射された光ビームを回折して主ビーム及び副ビームに分割する回折素子と、上記回折素子に分割された上記主ビーム及び上記副ビームをそれぞれ光ディスクの記録層に集光する対物レンズと、上記光ディスクからの戻り光のうち主ビームを受光する主受光部と、上記戻り光のうち副ビームを受光する副受光部とを有する光検出器とを備え、上記副受光部は、光ディスクの半径方向に対応する上記副受光部上の第１の方向と、上記第１の方向に直交する第２の方向とに対して少なくともその一部が傾斜した分割線により第１の受光領域と第２の受光領域とに分割され、上記第１の受光領域と上記第２の受光領域とは、上記第１の方向のいずれの位置においても、上記第２の方向の寸法が等しく形成されている。
【００１４】
また、この目的を達成するため、本発明に係る光ディスク装置は、光ビームの入射方向に一又は複数の記録層を有する光ディスクに対して情報の記録及び／又は再生を行う光ピックアップと、上記光ディスクを回転する回転駆動手段とを備える光ディスク装置であり、この光ディスク装置に用いる光ピックアップとして、上述したようなものを用いたものである。
【発明の効果】
【００１５】
本発明は、回折素子により主ビームから分割された副ビームを受光する副受光部が、光ディスクの半径方向に対応する第１の方向と、第１の方向に直交する第２の方向とに対して少なくともその一部が傾斜した分割線により第１及び第２の受光領域に分割され、この第１の受光領域と第２の受光領域とが第１の方向のいずれの位置においても、第２の方向の寸法が等しく形成されていることから、情報の記録又は再生を行うフォーカス記録層とは異なる他の記録層の記録部及び未記録部の境界に位置して光ビームが照射され反射されこの戻り光が副受光部に入射された場合にも、記録部及び未記録部の反射率の違いが第１及び第２の受光領域に与える影響を低減して、すなわち、他の記録層で反射された光ビームが、フォーカス記録層からの受光部への戻り光に対して与える影響を低減して、受光部上のスポットにより検出される信号にノイズ成分が発生することを簡易な構成で防止して良好な各種信号を得ることを実現する。
【発明を実施するための最良の形態】
【００１６】
以下、本発明を適用した光ピックアップを用いた光ディスク装置について、図面を参照して説明する。
【００１７】
本発明を適用した光ディスク装置１は、図１に示すように、光ディスク２に対して情報信号の記録及び／又は再生を行う記録再生装置である。
【００１８】
この光ディスク装置１で記録及び／又は再生を行う光ディスク２として、例えば、ＣＤ(Compact Disc）、ＤＶＤ（Digital Versatile Disc）、情報の追記が可能とされるＣＤ−Ｒ（Recordable）及びＤＶＤ−Ｒ（Recordable）、情報の書換えが可能とされるＣＤ−ＲＷ（ReWritable）、ＤＶＤ−ＲＷ（ReWritable）、ＤＶＤ＋ＲＷ（ReWritable）等の光ディスクや、さらに発光波長が短い４０５ｎｍ程度（青紫色）の半導体レーザを用いた高密度記録が可能な光ディスクや、光磁気ディスク等が用いられる。
【００１９】
特に以下では、この光ディスク装置１で用いられる光ディスクとして、図２に示すように、多層型のタイプとして、２つの記録層を有する光ディスク２を用いるものとして説明するが、この光ディスク装置１及び光ピックアップにより情報信号の記録又は再生を行う光ディスクは、これに限られるものではなく、光ビームの入射方向に一又は複数の記録層が積層されて形成された光ディスクであればよい。具体的に、光ディスク２は、光ビームの入射側から順に、カバー層２ａ、記録層Ｌ１、記録層Ｌ２が形成されている。ここで、カバー層２ａの厚みは、７５μｍに形成され、記録層Ｌ１と記録層Ｌ２との間隔は、２５μｍに形成されている。
【００２０】
この光ディスク装置１は、図１に示すように、外筐３内に所要の各部材及び各機構が配置されて成り、外筐３には図示しないディスク挿入口が形成されている。
【００２１】
外筐３内には図示しないシャーシが配置され、該シャーシに取り付けられたスピンドルモーターのモーター軸にディスクテーブル４が固定されている。
【００２２】
シャーシには、平行なガイド軸５が取り付けられると共に図示しない送りモーターによって回転されるリードスクリュー６が支持されている。
【００２３】
光ピックアップ７は、図１に示すように、移動ベース８と、該移動ベース８に設けられた所要の光学部品と、移動ベース８上に配置された対物レンズ駆動装置９とを有し、移動ベース８の両端部に設けられた軸受部８ａ、８ｂがそれぞれガイド軸５に摺動自在に支持されている。
【００２４】
移動ベース８に設けられた図示しないナット部材がリードスクリュー６に螺合され、送りモーターによってリードスクリュー６が回転されると、ナット部材がリードスクリュー６の回転方向へ応じた方向へ送られ、光ピックアップ７がディスクテーブル４に装着される光ディスク２の半径方向へ移動される。
【００２５】
以上のように構成された光ディスク装置１は、スピンドルモータによって、光ディスク２を回転操作し、サーボ回路からの制御信号に応じてリードスクリュー６を駆動制御し、光ピックアップ７を光ディスク２の所望の記録トラックに対応する位置に移動することで、光ディスク２に対して情報の記録再生を行う。
【００２６】
次に、本発明が適用された上述した光ピックアップ７について説明する。この光ピックアップ７は、光ビームの入射方向に一又は複数の記録層を有する光ディスク２に対して情報の記録及び／又は再生を行う。
【００２７】
本発明を適用した光ピックアップ７は、図３に示すように、所定の波長の光ビームを出射する光源３１と、光源３１から出射された光ビームをトラッキングエラー信号等を検出するために少なくとも３本の光ビームに回折して分割する回折素子３２と、回折素子３２に分割された３本の光ビームをそれぞれ光ディスク２の信号記録面としての記録層上に集光する対物レンズ３３と、光ディスク２の記録層で反射された３本の光ビームのそれぞれの戻り光を受光する受光部３４ａ，３４ｂ，３４ｃを有する光検出器３４と、光源３１と対物レンズ３３との間に配置され、光ディスク２で反射された戻り光の光路を光源３１から出射された光ビームの光路と分離する光路分離手段としてビームスプリッタ３５とを備える。
【００２８】
また、光ピックアップ７は、光源３１とビームスプリッタ３５との間に設けられ、光源３１から出射された光ビームの発散角を変えて略平行光とするコリメータレンズ３６と、ビームスプリッタ３５と対物レンズ３３との間に設けられ、通過する光ビームに１／４波長の位相差を与える１／４波長板３７と、ビームスプリッタ３５と光検出器３４との間に設けられ、ビームスプリッタ３５で反射された戻りの光ビームを光検出器３４の受光部３４上に集光する集光レンズ３８とを備える。
【００２９】
光源３１は、例えば、波長４０５ｎｍ程度のレーザ光束を出射する半導体レーザである。尚、光源３１から出射される光ビームの波長は、４０５ｎｍ程度に限られるものではなく、例えば、６５０ｎｍ程度、７８０ｎｍ程度の波長の光ビームを出射するように構成してもよい。また、以下では、単一の波長の光ビームを出射する場合について説明するが、二以上の複数種類の波長の光ビームを出射する一又は複数の光源部を設けるように構成してもよい。
【００３０】
コリメータレンズ３６は、光源３１から入射された光ビームの発散角を変換して略平行光として回折素子３２側に出射させる。
【００３１】
回折素子３２は、コリメータレンズ３６とビームスプリッタ３５との間に設けられ、光源３１から出射されコリメータレンズ３６に略平行光とされた光ビームをそのまま透過する０次光であるメインビームと、所定の回折角でメインビームから分岐される±１次回折光である第１及び第２のサブビームとからなる３本の光ビームに分割してビームスプリッタ３５側に出射させる。
【００３２】
尚、ここでは、回折素子３２により、通過する光ビームを主ビームとしての０次光と、副ビームとしての±１次回折光からなる３本の光ビームに分割する所謂回折格子として構成したが、本発明に係る光ピックアップに用いられる回折素子は、これに限られるものではなく、少なくともトラッキングエラー信号等を検出するために、入射した光ビームを回折してＲＦ信号等を検出するための主ビームと、各種検出信号を検出するための補助光としての副ビームとからなる少なくとも２本以上の光ビームに分割する回折素子であればよい。
【００３３】
ビームスプリッタ３５は、回折素子３２により３本の光ビームに分割されて入射された往路の光ビームを透過して対物レンズ３３側に向けて出射させるとともに、光ディスク２の記録層で反射され対物レンズ３３を経由して入射された戻りの光ビーム（以下、「復路の光ビーム」ともいう。）を反射して集光レンズ３８及び光検出器３４側に向けて出射させる。このように、ビームスプリッタ３５は、復路の光ビームの光路を往路の光ビームの光路から分離させて、集光レンズ３８及び受光部３４ａ，３４ｂ，３４ｃ側に導く。
【００３４】
ビームスプリッタ３５は、例えば、入射する光ビームのうち、Ｓ波とされた光ビームの略全光量を透過させ、Ｐ波とされた光ビームの略全光量を反射させるような偏光依存性を有する光学薄膜が形成された分離面を有する所謂偏光ビームスプリッタである。そして、ビームスプリッタ３５は、光源３１で出射されコリメータレンズ３６及び回折素子３２を経由して入射する往路の光ビームをＳ波の状態とすることで、この光ビームを略全光量透過させて対物レンズ３３側に導くとともに、対物レンズ３３により集光されて再びビームスプリッタ３５に入射する復路の光ビームは、１／４波長板３７を２回通過することでＰ波の状態となっており、この復路の光ビームを略全光量反射させて集光レンズ３８側に導くこととなる。
【００３５】
１／４波長板３７は、通過する光ビームに１／４波長の位相差を与える。すなわち、１／４波長板３７は、入射した往路の光ビームを直線偏向（Ｓ波）から円偏光に変換し、光ディスクで反射された復路の光ビームを円偏光から直線偏向（Ｐ波）に変換する。１／４波長板３７は、復路の光路における光ディスクの前後で２回通過させることにより、往路の光ビームと復路の光ビームとを異なる偏光状態とする。
【００３６】
対物レンズ３３は、光ディスク２の種類に対応した開口数ＮＡとされ、例えば、開口数ＮＡが０．８５程度とされている。対物レンズ３３は、光ディスク２の選択される所望の記録層（信号記録面）上に入射した光ビームを集光する。尚、この対物レンズ３３の開口数は、用いる光ディスク２の種類に応じたものを用いるものであり、０．８５程度に限られるものではなく、例えば、０．６程度又は０．４５程度のものであってもよい。
【００３７】
集光レンズ３８は、ビームスプリッタ３５を透過され入射された戻りの光ビームの発散角を変換して、所定の発散角でこの光ビームを光検出器３４の受光部３４ａ，３４ｂ，３４ｃの各受光領域上に集束させる。
【００３８】
光検出器３４は、中央部に、例えば略正方形状に形成され入射したメインビームを受光して検出する主受光部としての受光部３４ａと、この受光部３４ａを挟んで互いに反対側の位置に形成され入射した第１及び第２のサブビームの戻り光を受光して検出する副受光部としての受光部３４ｂ，３４ｃとが設けられた受光素子を有し、この受光素子の受光部３４ａ，３４ｂ，３４ｃで受光した光ビームを検出する。受光部３４ａは、メインビームの戻り光を受光できる位置に形成され、受光部３４ｂは、第１のサブビームの戻り光を受光できる位置に形成され、受光部３４ｃは、第２のサブビームの戻り光を受光できる位置に形成されている。
【００３９】
光検出器３４は、集光レンズ３８により集光されたメインビーム並びに第１及び第２のサブビームの戻り光をそれぞれ受光し、情報信号とともにトラッキングエラー信号及びフォーカシングエラー信号等の各種信号を検出するために、受光部３４ａ，３４ｂ，３４ｃのそれぞれが複数の受光領域からなる所謂分割フォトディテクタとして構成され、情報信号、トラッキングエラー信号及びフォーカシングエラー信号等の各種信号を検出する。
【００４０】
例えば、図４及び図５に示すように、受光部３４ａは、互いに直交する方向にそれぞれ２分割された４分割の受光領域Ａ，Ｂ，Ｃ，Ｄを有し、受光部３４ｂ，３４ｃは、それぞれ２分割の受光領域Ｅ，Ｆ及び受光領域Ｇ，Ｈを有している。光検出器３４は、メインビームの戻り光を受光した受光部３４ａにより検出した信号強度Ａ，Ｂ，Ｃ，Ｄから得られるメインプッシュプル信号ＭＰＰ＝（Ａ＋Ｂ）−（Ｃ＋Ｄ）と、サブビームの戻り光を受光した受光部３４ｂ，３４ｃにより検出した信号強度Ｅ，Ｆ，Ｇ，Ｈから得られるサブプッシュプル信号ＳＰＰ１＝Ｅ−Ｆ，ＳＰＰ２＝Ｇ−Ｈとにより、所謂ＤＰＰ方式のトラッキングエラー信号が検出できる。
【００４１】
すなわち、ＤＰＰ方式のトラッキングエラー信号ＤＰＰは、ＤＰＰ＝ＭＰＰ−（Ｋ１×ＰＰ１＋Ｋ２×ＳＰＰ２）により得られる（ここでＫ１，Ｋ２は補正係数である。）。これは、メインプッシュプル信号ＭＰＰだけでは、トラッキングのために対物レンズがシフトすることにより、ＭＰＰがオフセットしてしまい良好なトラッキングエラー信号が得られないことをサブプッシュプル信号ＳＰＰ１，ＳＰＰ２で補正するものである。具体的には、光ディスク上のサブビームのスポットは、グルーブピッチの半分だけメインビームのスポットからずらして配置されている。したがって、サブプッシュプル信号ＳＰＰ１，ＳＰＰ２は、メインプッシュプル信号ＭＰＰとは逆極性で変調された信号となる。その一方で、対物レンズのシフトによるオフセットは、ＭＰＰも、ＳＰＰ１及びＳＰＰ２も同じ極性である。以上のことからメインビームとサブビームの明るさを補正する係数Ｋ１，Ｋ２を用いて上述の演算により、対物レンズのシフトによるオフセットがキャンセルされるとともに、グルーブで変調されるトラッキングエラー信号を２倍にした、良好なトラッキングエラー信号が得られる。尚、ここで、Ｋ１とＫ２とは原理的に等しく、例えば、サブビームがメインビームに対して１／１０程度の明るさに設定されているので、Ｋ１＝Ｋ２＝５程度とされている。
【００４２】
尚、図４及び図５中Ｓ１１は、光ビームが集光され情報の記録又は再生が行われる記録層（以下、「フォーカス記録層」ともいう。）で反射されたメインビームの戻り光により形成されるスポットを示し、Ｓ１２は、フォーカス記録層で反射された第１のサブビームの戻り光により形成されるスポットを示し、Ｓ１３は、フォーカス記録層で反射された第２のサブビームの戻り光により形成されるスポットを示す。
【００４３】
ここで、多層型の光ディスクにおいて、例えば、一の記録層に光ビームが集光されている場合に、この一の記録層に隣接する他の記録層等でも光ビームが反射される。図５は、上述のフォーカス記録層からの各戻り光を示すのに加えて、他の記録層の記録部及び未記録部の境界付近に光ビームが照射される場合の各受光部３４ａ，３４ｂ，３４ｃ上に入射される他の記録層で反射された光ビームにより形成されるスポットについても示すものであり、図５中Ｓ２は、他の記録層で反射されたメインビーム並びに第１及び第２のサブビームにより形成されるスポットを示す。ここで、図５中のスポットＳ２の左側は、例えば、他の記録層の記録部に照射され反射された光ビームにより形成される光強度の比較的低いスポットＳ２Ｌを示し、スポットＳ２の右側は、例えば、他の記録層の未記録部に照射され反射された光ビームにより形成された光強度の比較的高いスポットＳ２Ｈを示すものである。尚、図５は、他の記録層の記録部及び未記録部の境界線上に光ビームの中心が位置して照射される場合を示すものであり、この境界線と光ビームの中心との関係によっては、図５に示すスポットＳ２Ｌ，Ｓ２Ｈの境界の位置は、第１の方向にずれた位置となることもある。
【００４４】
副受光部としての受光部３４ｂは、図４に示すように、光ディスクの半径方向であるラジアル方向に対応する受光部３４ｂ上の第１の方向Ｄｒと、この第１の方向Ｄｒに直交する第２の方向Ｄｔとに対して傾斜した分割線Ｌ１１により２分割され、受光部３４ｂの２分割された各受光領域Ｅ，Ｆは、第１の方向Ｄｒのいずれの位置においても第２の方向Ｄｔの寸法が等しく形成されている。尚、ここで、ラジアル方向に対応する受光部３４ｂ上の第１の方向Ｄｒとは、戻りの光路中に配置されるビームスプリッタ３５等の光ビームを反射し光路を折り曲げる手段により、ラジアル方向に分布されていた光が反射されることにより分布される方向をいう。また、第２の方向Ｄｔは、同様に、光ディスク上のラジアル方向に直交するタンジェンシャル方向に対応する受光部３４ｂ上の方向でもある。
【００４５】
さらに具体的に説明すると、受光部３４ｂの受光領域Ｅ，Ｆは、図６に示すように、例えば、第１の方向Ｄｒの任意の位置ｘ１における第２の方向Ｄｔの寸法ｙ１１と寸法ｙ１２とが等しく形成され、同様に、第１の方向Ｄｒの任意の位置ｘ２における第２の方向Ｄｔの寸法ｙ２１と寸法ｙ２２とが等しく形成され、さらに、第１の方向Ｄｒの任意の位置ｘ３における第２の方向Ｄｔの寸法ｙ３１と寸法ｙ３２とが等しく形成されている。
【００４６】
尚、ここでは、副受光部としての受光部３４ｂを第１の方向Ｄｒと第２の方向Ｄｔとに対して傾斜した略直線状の分割線Ｌ１１により２分割するように構成したが、これに限られるものではなく、副受光部は、少なくともその一部が第１の方向Ｄｒと第２の方向Ｄｔとに対して傾斜した分割線により分割された受光領域を有するように構成すればよい。
【００４７】
また、図４に示すように、副受光部としての受光部３４ｃについても上述の受光部３４ｂと同様に、第１の方向Ｄｒと、第２の方向Ｄｔとに対して傾斜した分割線Ｌ１２により２分割され、受光部３４ｃの２分割された各受光領域Ｇ，Ｈは、第１の方向Ｄｒのいずれの位置においても第２の方向Ｄｔの寸法が等しく形成されている。
【００４８】
尚、主受光部としての受光部３４ａの互いに直交する方向の分割線は、それぞれ第１及び第２の方向Ｄｒ，Ｄｔに向けて形成されている。
【００４９】
また、受光部３４ｂの一方の受光領域Ｅは、第１のサブビームが光ディスク２の記録層に集光されて反射される際に回折されることにより記録層で発生する第１のサブビームの±１次回折光と、第１のサブビームが光ディスクの記録層で反射された第１のサブビームの０次光とが受光部３４ｂ上で重複される重複部分α１，α２の一方の重複部分α１を受光するように形成されている。また、受光部３４ｂの他方の受光領域Ｆは、この重複部分α１，α２の他方の重複部分α２を受光するように形成されている。
【００５０】
同様に、受光部３４ｃの一方の受光領域Ｇは、第２のサブビームが光ディスクの記録層に集光されて反射される際に回折されることにより記録層で発生する第２のサブビームの±１次回折光と、第２のサブビームが光ディスクの記録層で反射された第２のサブビームの０次光とが受光部３４ｃ上で重複される重複部分β１，β２の一方の重複部分β１を受光するように形成されている。また、受光部３４ｃの他方の受光領域Ｈは、この重複部分β１，β２の他方の重複部分β２を受光するように形成されている。
【００５１】
尚、ここでは、副受光部としての受光部３４ｂ及び受光部３４ｃのそれぞれの分割された受光領域Ｅ，Ｆ及び受光領域Ｇ，Ｈが、第１及び第２のサブビームの光ディスクの記録層で回折された各光ビームの重複部分の一方又は他方を受光するように形成されるように構成したが、これに限られるものではなく、副受光部のそれぞれ分割された受光領域の一方が、対応する副ビームが光ディスクの記録層に集光されて反射される際に回折されることにより発生する±１次回折光と、この副ビームが光ディスクの記録層で反射された０次光とがこの副受光部上で重複される重複部分のいずれか一方の大部分を受光するように形成され、それぞれ分割された受光領域の他方が、重複部分の他方の大部分を受光するように形成されるように構成してもよい。これは、分割された受光領域の一方及び他方が、重複部分の大部分で且つ略同じ面積を受光するように構成すれば、必ずしも重複部分全部を受光しなくても、確実にサブプッシュプル信号を得ることができるからである。
【００５２】
以上のように構成された副受光部としての受光部３４ｂ，３４ｃを備える光検出器及び光ピックアップは、他の記録層の記録部及び未記録部の反射率の違いによるこの境界部付近で反射された光ビームの影響を低減できることについて説明するが、その説明に先立ち、従来の光ピックアップ及びこれに用いられていた光検出器では、他の記録層の記録部及び未記録部の反射率の違いによりこの他の記録層の記録部及び未記録部の境界部付近で反射された光ビームがフォーカス記録層で反射された光ビームにより検出される検出信号に悪影響を及ぼしてしまうことについて説明する。以下、従来の光ピックアップを構成する光検出器の一例として図７に示す比較例の光検出器１０１を用いて説明する。
【００５３】
図７に示すように、比較例の光検出器１０１は、ラジアル方向に対応する第１の方向Ｄｒと、この第１の方向Ｄｒに略直交する第２の方向Ｄｔとに各辺が向けて形成された略正方形状の受光部１０１ａ，１０１ｂ，１０１ｃとを有する。
【００５４】
ここで、メインビームを受光する主受光部としての受光部１０１ａは、上述の受光部３４ａと略同様の構成であり受光領域Ａ，Ｂ，Ｃ，Ｄを有する。また、サブビームを受光する副受光部としての受光部１０１ｂ，１０１ｃとは、第２の方向に向けて形成された分割線により略２等分割され、受光部１０１ｂ，１０１ｃは、それぞれ受光領域Ｅ，Ｆ及び受光領域Ｇ，Ｈとを有している。
【００５５】
かかる光検出器１０１では、メインプッシュプル信号ＭＰＰ＝（Ａ＋Ｂ）−（Ｃ＋Ｄ）と、サブプッシュプル信号ＳＰＰ１＝Ｅ−Ｆ，ＳＰＰ２＝Ｇ−Ｈとにより、トラッキングエラー信号ＤＰＰ＝ＭＰＰ−（Ｋ１×ＳＰＰ１−Ｋ２×ＳＰＰ２）が得られることとなり、対物レンズのシフトによるオフセットがキャンセルされた良好なトラッキングエラー信号が得られることとなる。尚、図７及び後述の図８中Ｓ３１は、フォーカス記録層で反射されたメインビームの戻り光により形成されるスポットを示し、Ｓ３２，Ｓ３３は、フォーカス記録層で反射された第１及び第２のサブビームの戻り光により形成されるスポットを示す。
【００５６】
しかし、比較例にかかる光検出器１０１は、他の記録層の記録部及び未記録部の境界付近に光ビームが照射されてしまう場合には、上述と同様に、例えば、図８に示すように、他の記録層の記録部で反射された光ビームにより形成される光強度の比較的低いスポットＳ４Ｌと、他の記録層の未記録部で反射された光ビームにより形成される光強度の比較的高いスポットＳ４Ｈとが存在した光強度分布となることがある。尚、図８中Ｓ４は、他の記録層で反射されたメインビーム並びに第１及び第２のサブビームにより形成されるスポットを示す。
【００５７】
このような図８に示すような場合に、副受光部１０１ｂに入射するフォーカス記録層で反射されたサブビームによるスポットの光強度と、副受光部１０１ｂに入射する他の記録層で反射されたメインビームによるスポットの光強度とは近い値となってしまう。
【００５８】
ここで、副受光部１０１ｂで得られるサブプッシュプル信号は、本来のスポットＳ３２により得られるサブプッシュプル信号に比べて、上述の他の記録層の記録部及び未記録部による影響を受け、具体的には、受光領域Ｅには、光強度の比較的高いスポットＳ４Ｈが形成され、受光領域Ｆには、光強度の比較的低いスポットＳ４Ｌが形成され、受光領域Ｆで検出した信号強度に比べて受光領域Ｅで検出した信号強度が高くなってしまうことになり、これが本来検出すべきフォーカス記録層からの戻り光によるスポットＳ３２を検出する信号に対してノイズ成分となる。副受光部１０１ｃについても同様のノイズ成分が発生してしまうこととなる。
【００５９】
これに対し、上述した本発明を適用した光ピックアップを構成する光検出器３４では、図５及び図９（ａ）に示すように、他の記録層の記録部及び未記録部の境界付近で反射された光ビームが副受光部としての受光部３４ｂに入射する場合、分割された各受光領域Ｅ，Ｆそれぞれに入射する他の記録層の記録部で反射される光強度の比較的低い部分ＡＥ１、ＡＦ１が略等しい面積となる。
【００６０】
また、分割された各受光領域Ｅ，Ｆそれぞれに入射する他の記録層の未記録部で反射される光強度の比較的高い部分ＡＥ２，ＡＦ２が略等しい面積となる。尚、図９（ａ）は、図５に示す状態の受光部３４ｂに入射する他の記録層からの戻り光のみを示したものである。
【００６１】
そして、図９（ａ）に示すように、受光部３４ｂにおいて、他の記録層からの戻り光についてのみ考慮すると、受光領域Ｅで検出される光量と、受光領域Ｆで検出される光量とが等しいこととなる。すなわち、受光部３４ｂは、受光領域Ｅ，Ｆにより得られるサブプッシュプル信号に、この他の記録層の記録部及び未記録部からの反射率の違いの影響を受けることなく、本来検出すべきスポットＳ１２のみを検出して所望のサブプッシュプル信号を得ることができる。
【００６２】
また、受光部３４ｂは、図５及び図９（ａ）に示すように、他の記録層の記録部及び未記録部の境界上に光ビームの中心が位置して照射される場合に限られるものではなく、他の記録層の記録部及び未記録部の境界線から光ビームの中心がずれた位置に照射された場合、例えば図９（ｂ）に示すような場合にも、この影響を受けることなく所望のサブプッシュプル信号を得ることができる。
【００６３】
図９（ｂ）に示すように、受光部３４ｂに、他の記録層の記録部及び未記録部の境界付近で反射された光ビームが入射する場合に、すなわち、光強度の高いスポットＳ２Ｈと、光強度の低いスポットＳ２ＬとがスポットＳ２の中心線に対して一方側と他方側に同じ面積に設けられるのではなく左右に偏って形成された場合にも、分割された各受光領域Ｅ，Ｆそれぞれに入射する他の記録層の記録部で反射される光強度の比較的低い部分ＡＥ３，ＡＦ３が略等しい面積となる。
【００６４】
また、分割された各受光領域Ｅ，Ｆそれぞれに入射する他の記録層の未記録部で反射される光強度の比較的高い部分ＡＥ４，ＡＦ４が略等しい面積となる。尚、図９（ｂ）は、受光部３４ｂに入射する他の記録層からの戻り光のみを示したものである。
【００６５】
よって、図９（ｂ）に示す状態の受光部３４ｂにおいて、他の記録層からの戻り光についてのみ考慮すると、受光領域Ｅで検出される光量と、受光領域Ｆで検出される光量とが等しいこととなる。すなわち、図９（ａ）に示す場合と同様に、図９（ｂ）に示す場合にも、受光部３４ｂは、受光領域Ｅで検出される光量と、受光領域Ｆで検出される光量とが等しいこととなり、よって、受光領域Ｅ，Ｆにより得られるサブプッシュプル信号に、この他の記録層の記録部及び未記録部からの反射率の影響を受けることなく、本来検出すべきスポットＳ１２のみを検出して所望のサブプッシュプル信号を得ることができる。
【００６６】
したがって、受光部３４ｂは、図９（ａ）及び図９（ｂ）を含めた他の記録層の記録部及び未記録部の境界付近に光ビームが照射され反射された光強度の比較的高い部分と比較的低い部分との分布、すなわち戻りの光ビームの状態に拘わらず常に本来検出すべきスポットＳ１２を検出して適切なサブプッシュプル信号を得ることができる。尚、当然のことながら、受光部３４ｂは、他の記録層の記録部及び未記録部の境界付近以外の部分に光ビームが照射され反射された場合にも、本来検出すべきスポットＳ１２を検出して適切なサブプッシュプル信号を得ることができる。
【００６７】
同様に、図５に示すように、他の記録層の記録部及び未記録部の境界付近で反射された光ビームが副受光部としての受光部３４ｃに入射する場合にも、分割された各受光領域Ｇ，Ｈそれぞれに入射する他の記録層の記録部で反射される光強度の比較的低い部分が略等しい面積となる。また、分割された各受光領域Ｇ，Ｈそれぞれに入射する他の記録層の未記録部で反射される光強度の比較的高い部分が略等しい面積となる。
【００６８】
そして、受光部３４ｃにおいて、他の記録層からの戻り光について受光領域Ｇで検出される光量と、受光領域Ｈで検出される光量とが等しいこととなり、すなわち、受光部３４ｃは、受光領域Ｇ，Ｈにより得られるサブプッシュプル信号には、この他の記録層の記録部及び未記録部からの反射率の違いの影響を受けることなく、本来検出すべきスポットＳ１３のみを検出して所望のサブプッシュプル信号を得ることができる。図９（ｂ）を用いて上述したように、他の記録層及び未記録部の境界線から光ビームの中心がずれた位置に照射された場合にも、この影響を受けることなく所望のサブプッシュプル信号を得ることができる。
【００６９】
受光部３４ｃは、他の記録層の記録部及び未記録部の境界付近に光ビームが照射され反射された光強度の比較的高い部分と比較的低い部分との分布、すなわち戻りの光ビームの状態に拘わらず常に本来検出すべきスポットＳ１３を検出して適切なサブプッシュプル信号を得ることができる。
【００７０】
よって、上述の構成とされた副受光部としての受光部３４ｂ及び受光部３４ｃを備える光検出器３４及び光ピックアップ７は、他の記録層の記録部及び未記録部の反射率の違いによるこの境界部付近で反射された光ビームの影響を低減して、受光部上のスポットにより検出される信号にノイズ成分が発生することを簡易な構成で防止して良好な各種信号を得ることを実現できる。
【００７１】
以上のように構成された光ピックアップ７において、光源３１から光ビームが出射されると、コリメータレンズ３６によって平行光とされ、回折素子３２によって３ビームに分割され、ビームスプリッタ３５により対物レンズ３３側に導かれ、１／４波長板を経由して対物レンズ３３によって集光されて光ディスク２のフォーカス記録層にスポットが形成される。光ディスク２の記録層に集光された光ビームは、反射されて再びビームスプリッタ３５に入射され、ビームスプリッタ３５によって光路が変更されて、集光レンズ３８により光検出器３４の各受光部３４ａ，３４ｂ，３４ｃ上に集光される。
【００７２】
以上のように、本発明を適用した光ピックアップ７は、光源３１，回折素子３２、対物レンズ３３及び光検出器３４を備え、回折素子３２によりトラッキングエラー信号を検出するためにメインビームから分割された第１及び第２のサブビームを受光する受光部３４ｂ，３４ｃが、光ディスク２の半径方向に対応する第１の方向Ｄｒと、第１の方向Ｄｒに直交する第２の方向Ｄｔとに対して少なくともその一部が傾斜した分割線によりそれぞれ受光領域Ｅ，Ｆ及び受光領域Ｇ，Ｈに分割され、受光領域Ｅと受光領域Ｆとが第１の方向Ｄｒのいずれの位置においても第２の方向Ｄｔの寸法が等しく形成され、受光領域Ｇと受光領域Ｈとが第１の方向Ｄｒのいずれの位置においても第２の方向Ｄｔの寸法が等しく形成されていることから、フォーカス記録層とは異なる他の記録層の記録部及び未記録部の境界に位置して光ビームが反射されこの戻り光が受光部３４ｂ，３４ｃに入射された場合にも記録部及び未記録部の反射率の違いが受光領域Ｅ，Ｆに与える影響及び受光領域Ｇ，Ｈに与える影響を低減して、すなわち、他の記録層で反射された光ビームが、フォーカス記録層からの受光部３４ｂ，３４ｃへの戻り光に対して与える影響を低減して、受光部３４ａ，３４ｂ，３４ｃ上のスポットＳ１１，Ｓ１２，Ｓ１３により検出される例えばトラッキングエラー信号にノイズ成分が発生することを簡易な構成で防止して良好なトラッキングエラー信号等の各種信号を得ることができる。
【００７３】
このように、光ピックアップ７は、相変化型、有機色素型等の光ディスクを記録・再生する際に必要に有効であり、これらの光ディスクで発生し得る記録部及び未記録部の反射率の違いにより発生する問題点を解消して良好な各種信号を得ることができる。
【００７４】
特に、短波長を用いた光ディスクにおいては、層間距離も小さくすることが可能となっており、この層間距離が小さい場合には他の記録層の記録部及び未記録部の反射率の違いによる影響が特に問題となるが、この光ピックアップ７は、簡易な構成で、短波長を用いた光ディスクを多層構造にしたときのノイズ成分を大幅に低減して、記録容量の大容量化と、この他の記録層の記録部及び未記録部の反射率の違いによる影響を防止することによる良好な記録再生とを可能とする。
【００７５】
尚、上述の光ピックアップ７を構成する光検出器３４では、副受光部としての受光部３４ｂ，３４ｃのそれぞれ受光領域Ｅ，Ｆ及び受光領域Ｇ，Ｈの形状が略矩形となるように形成されたがこれに限られるものではなく、例えば、図１０に示すように、略平行四辺形の形状とされた副受光部５４ｂ，５４ｃのそれぞれ受光領域Ｅ，Ｆ及び受光領域Ｇ，Ｈの形状が略平行四辺形となるように形成された副受光部５４ｂ，５４ｃを有する光検出器５４を用いてもよく、さらに、例えば、略台形の形状とされた副受光部の受光領域の形状が略台形の形状となるように形成された副受光部を有する光検出器を用いてもよい。
【００７６】
次に、本発明を適用した光ピックアップ７に用いることができる光検出器の他の例について図１０を用いて説明する。
【００７７】
この光検出器５４は、図１０に示すように、受光部３４ａと同様の構成でありメインビームを受光する主受光部としての受光部５４ａと、この受光部５４ａを挟んで互いに反対側の位置に形成され入射した第１及び第２のサブビームの戻り光を受光して検出する副受光部としての受光部５４ｂ，５４ｃとが設けられた受光素子を有し、この受光素子の受光部５４ａ，５４ｂ，５４ｃで受光した光ビームを検出する。
【００７８】
光検出器５４は、集光レンズ３８により集光されたメインビーム並びに第１及び第２のサブビームの戻り光をそれぞれ受光し、情報信号とともにトラッキングエラー信号及びフォーカシングエラー信号等の各種信号を検出するために、受光部５４ａ，５４ｂ，５４ｃのそれぞれが複数の受光領域からなる所謂分割フォトディテクタとして構成され、情報信号、トラッキングエラー信号及びフォーカシングエラー信号等の各種信号を検出する。
【００７９】
受光部５４ａは、図１０に示すように、４分割の受光領域Ａ，Ｂ，Ｃ，Ｄを有し、受光部５４ｂ，５４ｃは、それぞれ２分割の受光領域Ｅ，Ｆ及び受光領域Ｇ，Ｈを有している。光検出器５４において、各受光領域Ａ〜Ｈにより検出した信号強度からメインプッシュプル信号ＭＰＰ、サブプッシュプル信号ＳＰＰ１，ＳＰＰ２を得て、これらから、トラッキングエラー信号ＤＰＰを得ることは、上述した光検出器３４と同様であるのでここでは詳細な説明は省略する。また、図１０中Ｓ１１，Ｓ１２，Ｓ１３は、上述した図４を用いて説明したのと同様であるので詳細な説明は省略する。
【００８０】
光検出器５４において、副受光部としての受光部５４ｂは、図１０に示すように、光ディスクの半径方向であるラジアル方向に対応する受光部５４ｂ上の第１の方向Ｄｒと、この第１の方向Ｄｒに直交する第２の方向Ｄｔとに対して傾斜した分割線Ｌ２１により２分割され、受光部５４ｂの２分割された各受光領域Ｅ，Ｆは、第１の方向Ｄｒのいずれの位置においても第２の方向Ｄｔの寸法が等しく形成されている。
【００８１】
また、副受光部としての受光部５４ｃについても同様に、第１の方向Ｄｒと、第２の方向Ｄｔとに対して傾斜した分割線Ｌ２２により２分割され、受光部５４ｃの２分割された各受光領域Ｇ，Ｈは、第１の方向Ｄｒのいずれの位置においても第２の方向Ｄｔの寸法が等しく形成されている。
【００８２】
また、受光部５４ｂの一方の受光領域Ｅは、第１のサブビームが光ディスク２の記録層に集光されて反射される際に回折されることにより記録層で発生する第１のサブビームの±１次回折光と、第１のサブビームが光ディスクの記録層で反射された第１のサブビームの０次光とが受光部５４ｂ上で重複される重複部分α１，α２の一方の重複部分α１を受光するように形成されている。また、受光部５４ｂの他方の受光領域Ｆは、この重複部分α１，α２の他方の重複部分α２を受光するように形成されている。
【００８３】
同様に、受光部５４ｃの一方の受光領域Ｇは、第２のサブビームが光ディスクの記録層に集光されて反射される際に回折されることにより記録層で発生する第２のサブビームの±１次回折光と、第２のサブビームが光ディスクの記録層で反射された第２のサブビームの０次光とが受光部５４ｃ上で重複される重複部分β１，β２の一方の重複部分β１を受光するように形成されている。また、受光部５４ｃの他方の受光領域Ｈは、この重複部分β１，β２の他方の重複部分β２を受光するように形成されている。
【００８４】
以上のように構成された副受光部としての受光部５４ｂ，５４ｃが、他の記録層の記録部及び未記録部の境界付近に光ビームが照射され反射された光ビームの状態に拘わらず、この他の記録層の記録部及び未記録部からの反射率の影響を受けることなく、本来検出すべきスポットＳ１２，Ｓ１３を検出して所望のサブプッシュプル信号を得ることができることについては、上述した受光部３４ｂ，３４ｃの場合と同様であるのでここでは詳細な説明は省略する。
【００８５】
よって、上述の構成とされた副受光部としての受光部５４ｂ及び受光部５４ｃを備える光検出器５４及び光ピックアップ７は、他の記録層の記録部及び未記録部の反射率の違いによるこの境界部付近で反射された光ビームの影響を低減して、受光部上のスポットにより検出される信号にノイズ成分が発生することを簡易な構成で防止して良好な各種信号を得ることを実現できる。
【００８６】
尚、上述の光検出器３４及び光検出器５４を構成する副受光部３４ｂ，３４ｃ，５４ｂ，５４ｃでは、分割された受光領域の一方及び他方が重複部分α１，α２の一方を全て受光するように構成したが、例えば図１１（ａ）に示すように、分割された受光領域の一方及び他方が重複部分の大部分で且つ略同じ面積を受光するような受光領域Ｅ，Ｆを有する受光部５５ｂとして構成してもよい。
【００８７】
また、上述の光検出器３４及び光検出器５４を構成する副受光部３４ｂ，３４ｃ，５４ｂ，５４ｃでは、第１の方向Ｄｒと第２の方向Ｄｔとに対して傾斜した略直線状の分割線Ｌ１１，Ｌ１２，Ｌ２１，Ｌ２２により２つの受光領域に分割されるように構成したが、例えば図１１（ｂ）に示すように、第１の方向Ｄｒと第２の方向Ｄｔとに対して少なくともその一部Ｌ２４１、Ｌ２４２が傾斜した分割線Ｌ２４により分割された２つの受光領域Ｅ，Ｆを有する受光部５６ｂとして構成してもよい。
【００８８】
さらに、例えば図１１（ｃ）に示すように、曲線状の分割線であって少なくともその一部が第１の方向Ｄｒと第２の方向Ｄｔとに対して傾斜しているような分割線Ｌ２５により２つの受光領域Ｅ，Ｆに分割されるような受光部５７ｂとして構成してもよい。
【００８９】
ここで、図１１（ａ）〜図１１（ｃ）で説明した受光部５５ｂ，５６ｂ，５７ｂの各受光領域Ｅ，Ｆは、それぞれ第１の方向Ｄｒのいずれの位置においても、第２の方向Ｄｔの寸法が等しく形成されている。
【００９０】
また、図４、図１０及び図１１で示された副受光部としての受光部３４ｂ，３４ｃ，５４ｂ，５４ｃ，５５ｂ，５６ｂ，５７ｂに対して例えば第１又は第２の方向Ｄｒ，Ｄｔに対称形状とされた受光部を用いてもよく、また、上述ではこれらの受光部を第１及び第２のサブビーム用として同じ形状のものを用いるように構成したが、これらを組み合わせて用いてもよい。
【００９１】
尚、上述の光ピックアップ７を構成する光検出器３４，５４では、第１の方向と第２の方向とに対して傾斜した分割線により２分割される副受光部を設けるように構成したが、これに限られるものではなく、複数の分割線により複数の分割部分（受光部）に分割され、この複数の分割部分の内の一又は複数の分割部分を組み合わせた２つの受光領域を有する副受光部を設けるように構成してもよい。
【００９２】
次に、本発明を適用した光ピックアップ７に用いることができる光検出器の更に他の例について図１２を用いて説明する。
【００９３】
この光検出器６４は、図１２に示すように、受光部３４ａと同様の構成でありメインビームを受光する主受光部としての受光部６４ａと、この受光部６４ａを挟んで互いに反対側の位置に形成され入射した第１及び第２のサブビームの戻り光を受光して検出する副受光部としての受光部６４ｂ，６４ｃとが設けられた受光素子を有し、この受光素子の受光部６４ａ，６４ｂ，６４ｃで受光した光ビームを検出する。
【００９４】
光検出器６４は、集光レンズ３８により集光されたメインビーム並びに第１及び第２のサブビームの戻り光をそれぞれ受光し、情報信号とともにトラッキングエラー信号及びフォーカシングエラー信号等の各種信号を検出するために、受光部６４ａ，６４ｂ，６４ｃのそれぞれが複数の受光領域からなる所謂分割フォトディテクタとして構成され、情報信号、トラッキングエラー信号及びフォーカシングエラー信号等の各種信号を検出する。
【００９５】
受光部６４ａは、図１２に示すように、４分割の受光領域Ａ，Ｂ，Ｃ，Ｄを有し、受光部６４ｂ，６４ｃは、それぞれ後述する複数の分割部分のうち一又は複数の分割部分を組み合わせてなる受光領域Ｅ，Ｆ及び受光領域Ｇ，Ｈを有している。光検出器６４において、各受光領域Ａ〜Ｈにより検出した信号強度からメインプッシュプル信号ＭＰＰ、サブプッシュプル信号ＳＰＰ１，ＳＰＰ２を得て、これらから、トラッキングエラー信号ＤＰＰを得ることは、上述した光検出器３４と同様であるのでここでは詳細な説明は省略する。また、図１２中Ｓ１１，Ｓ１２，Ｓ１３は、上述した図４を用いて説明したのと同様であるので詳細な説明は省略する。
【００９６】
光検出器６４において、副受光部としての受光部６４ｂは、図１２に示すように、光ディスクの半径方向であるラジアル方向に対応する受光部６４ｂ上の第１の方向Ｄｒと、この第１の方向Ｄｒに直交する第２の方向Ｄｔとに対して傾斜した複数の分割線Ｌ３１，Ｌ３２，Ｌ３３によりそれぞれが受光部として機能する分割部分６５ｅ１，６５ｆ１，６５ｅ２，６５ｆ２に４分割されている。受光部６４ｂの４分割された各分割部分６５ｅ１，６５ｆ１，６５ｅ２，６５ｆ２のうち複数の分割部分６５ｅ１，６５ｅ２からなる第１の分割部群６５ｅと、４分割された各分割部分のうち残りの複数の分割部分６５ｆ１，６５ｆ２からなる第２の分割部群６５ｆとは、第１の方向Ｄｒのいずれの位置においても、それぞれを構成する複数の分割部分の第２の方向Ｄｔの寸法の合計が等しく形成されている。尚、第１の分割部群６５ｅは、上述した受光領域Ｅとして機能し、第２の分割部群６５ｆは、上述した受光領域Ｆとして機能する。
【００９７】
すなわち、図１３を用いてさらに具体的に説明すると、第１の方向Ｄｒの任意の位置ｘ４において、受光領域Ｅを構成する分割部分６５ｅ１の第２の方向Ｄｔの寸法ｙ４１１、及び、受光領域Ｅを構成する分割部分６５ｅ２の第２の方向Ｄｔの寸法ｙ４１２の合計した寸法と、受光領域Ｆを構成する分割部分６５ｆ１の第２の方向Ｄｔの寸法ｙ４２１、及び、受光領域Ｆを構成する分割部分６５ｆ２の第２の方向Ｄｔの寸法ｙ４２２の合計した寸法とが等しくなるように、すなわち、関係式ｙ４１１＋ｙ４１２＝ｙ４２１＋ｙ４２２を満足するように、受光部６４ｂの受光領域Ｅ，Ｆ及びこれを構成する分割部分６５ｅ１，６５ｅ２，６５ｆ２，６５ｆ２は形成されている。尚、図１３に示すような任意の位置ｘ４では、分割部分６５ｆ２の第２の方向Ｄｔの寸法ｙ４２２は、存在せず、すなわち、ゼロとして上述の関係式を満たしている。
【００９８】
尚、以上のように説明した受光部６５ｂは、図１０を用いて説明した受光部５４ｂの受光領域Ｅ，Ｆのように分割された状態から、図１３中破線で示される部分をさらに分割して、それぞれ分割部分６５ｅ２及び分割部分６５ｆ２として第２の方向Ｄｔに平行に移動したような構成となっている。このことからも、上述した各分割部分の第２の方向Ｄｔの寸法の合計が等しくなっていること及び後述する他の記録層の記録部及び未記録部により反射された光強度の高い部分及び低い部分の面積が等しくなることが示されている。
【００９９】
また、図１２に示すように、副受光部としての受光部６４ｃについても上述の受光部６４ｂと同様に、第１の方向Ｄｒと、第２の方向Ｄｔとに対して傾斜した複数の分割線Ｌ３４，Ｌ３５，Ｌ３６によりそれぞれが受光部として機能する分割部分６５ｇ１，６５ｈ１，６５ｇ２，６５ｈ２に４分割されている。受光部６４ｃの４分割された各分割部分６５ｇ１，６５ｈ１，６５ｇ２，６５ｈ２のうち複数の分割部分６５ｇ１，６５ｇ２からなる第３の分割部群６５ｇと、４分割された各分割部分のうち残りの複数の分割部分６５ｈ１，６５ｈ２からなる第４の分割部群６５ｈとは、第１の方向Ｄｒのいずれの位置においても、それぞれを構成する複数の分割部分の第２の方向Ｄｔの寸法の合計が等しく形成されている。尚、第３の分割部群６５ｇは、上述した受光領域Ｇとして機能し、第４の分割部群６５ｈは、上述した受光領域Ｈとして機能する。
【０１００】
また、受光部６４ｂの一方の受光領域Ｅは、その分割部分６５ｅ１が、第１のサブビームが光ディスク２の記録層に集光されて反射される際に回折されることにより記録層で発生する第１のサブビームの±１次回折光と、第１のサブビームが光ディスクの記録層で反射された第１のサブビームの０次光とが受光部６４ｂ上で重複される重複部分α１，α２の一方の重複部分α１を受光するように形成されている。また、受光部６４ｂの他方の受光領域Ｆは、その分割部分６５ｆ１が、この重複部分α１，α２の他方の重複部分α２を受光するように形成されている。
【０１０１】
同様に、受光部６４ｃの一方の受光領域Ｇは、その分割部分６５ｇ１が、第２のサブビームが光ディスクの記録層に集光されて反射される際に回折されることにより記録層で発生する第２のサブビームの±１次回折光と、第２のサブビームが光ディスクの記録層で反射された第２のサブビームの０次光とが受光部６４ｃ上で重複される重複部分β１，β２の一方の重複部分β１を受光するように形成されている。また、受光部６４ｃの他方の受光領域Ｈは、その分割部分６５ｈ１が、この重複部分β１，β２の他方の重複部分β２を受光するように形成されている。
【０１０２】
以上のように構成された副受光部としての受光部６４ｂ，６４ｃは、上述した受光部３４ｂ，３４ｃと同様に、他の記録層の記録部及び未記録部の境界付近に光ビームが照射され反射された光ビームの状態に拘わらず、この他の記録層の記録部及び未記録部からの反射率の影響を受けることなく、本来検出すべきスポットＳ１２，Ｓ１３を検出して所望のサブプッシュプル信号を得ることができるが、この点について、図１４を用いて一方の副受光部としての受光部６４ｂについて具体的に説明する。
【０１０３】
副受光部としての受光部６４ｂに、図１４に示すように、他の記録層の記録部及び未記録部の境界付近で反射された光ビームが入射する場合に、分割された各受光領域Ｅ，Ｆそれぞれに入射する他の記録層の記録部で反射される光強度の比較的低い部分ＡＥ５，ＡＦ５が略等しい面積となる。すなわち、受光領域Ｅの光強度の比較的低い部分ＡＥ５は、分割部分６５ｅ１の光強度の比較的低い部分ＡＥ５１と、分割部分６５ｅ２の光強度の比較的低い部分ＡＥ５２との合計した面積である。また、受光領域Ｆの光強度の比較的低い部分ＡＦ５は、分割部分６５ｆ１の光強度の比較的低い部分ＡＦ５１と、分割部分６５ｆ２の光強度の比較的低い部分ＡＦ５２との合計した面積である。すなわち、以上のようなＡＥ５，ＡＦ５，ＡＥ５１，ＡＥ５２，ＡＦ５１，ＡＦ５２とは、関係式ＡＥ５１＋ＡＥ５２＝ＡＥ５＝ＡＦ５＝ＡＦ５１＋ＡＦ５２を満足する。尚、図１４に示すような状態で他の記録層の記録部及び未記録部からの戻り光が入射した場合には、分割部分６５ｆ２に他の記録層の記録部で反射される光強度の比較的低い部分ＡＦ５２は、存在しないため、図示しないとともに、ゼロとしてＡＦ５を算出する。
【０１０４】
また、分割された各受光領域Ｅ，Ｆそれぞれに入射する他の記録層の未記録部で反射される光強度の比較的高い部分ＡＥ６，ＡＦ６が略等しい面積となる。すなわち、受光領域Ｅの光強度の比較的高い部分ＡＥ６は、分割部分６５ｅ１の光強度の比較的高い部分ＡＥ６１と、分割部分６５ｅ２の光強度の比較的高い部分ＡＥ６２との合計した面積である。また、受光領域Ｆの光強度の比較的高い部分ＡＦ６は、分割部分６５ｆ１の光強度の比較的高い部分ＡＦ６１と、分割部分６５ｆ２の光強度の比較的高い部分ＡＦ６２との合計した面積である。すなわち、以上のようなＡＥ６，ＡＦ６，ＡＥ６１，ＡＥ６２，ＡＦ６１，ＡＦ６２とは、関係式ＡＥ６１＋ＡＥ６２＝ＡＥ６＝ＡＦ６＝ＡＦ６１＋ＡＦ６２を満足する。尚、図１４は、受光部６４ｂに入射する他の記録層からの戻り光のみを示したものである。
【０１０５】
よって、受光部６４ｂにおいて、他の記録層からの戻り光についてのみ考慮すると、受光領域Ｅで検出される光量と、受光領域Ｆで検出される光量とが等しいこととなる。すなわち、受光部６４ｂは、受光領域Ｅ，Ｆにより得られるサブプッシュプル信号に、この他の記録層の記録部及び未記録部からの反射率の違いの影響を受けることなく、本来検出すべきスポットＳ１２のみを検出して所望のサブプッシュプル信号を得ることができる。
【０１０６】
尚、上述の光検出器６４では、副受光部である受光部６４ｂ，６４ｃがそれぞれ３本の分割線によりそれぞれ受光部として機能する４つの分割部分に分割され、一方の受光領域が２つの分割部分からなり、他方の受光領域が残りの２つの分割部分からなるように構成したが、本発明を適用した光ピックアップを構成する光検出器の副受光部は、これに限られるものではなく、例えば、第１及び第２の方向とに対して少なくともその一部が傾斜した複数の分割線により複数の分割部分（受光部）に分割され、一方の受光領域が複数の分割部分のうち一又は複数の分割部分からなり、他方の受光部が複数の分割部分のうち残りの一又は複数の分割部分からなるように構成してもよい。
【０１０７】
次に、本発明を適用した光ピックアップ７に用いることができる光検出器の更に他の例として更に分割線の数を増加させた例について図１５を用いて説明する。
【０１０８】
この光検出器７４は、図１５に示すように、受光部３４ａと同様の構成でありメインビームを受光する主受光部としての受光部７４ａと、この受光部７４ａを挟んで互いに反対側の位置に形成され入射した第１及び第２のサブビームの戻り光を受光して検出する副受光部としての受光部７４ｂ，７４ｃとが設けられた受光素子を有し、この受光素子の受光部７４ａ，７４ｂ，７４ｃで受光した光ビームを検出する。
【０１０９】
光検出器７４は、集光レンズ３８により集光されたメインビーム並びに第１及び第２のサブビームの戻り光をそれぞれ受光し、情報信号とともにトラッキングエラー信号及びフォーカシングエラー信号等の各種信号を検出するために、受光部７４ａ，７４ｂ，７４ｃのそれぞれが複数の受光領域からなる所謂分割フォトディテクタとして構成され、情報信号、トラッキングエラー信号及びフォーカシングエラー信号等の各種信号を検出する。
【０１１０】
受光部７４ａは、図１５に示すように、４分割の受光領域Ａ，Ｂ，Ｃ，Ｄを有し、受光部７４ｂ，７４ｃは、それぞれ後述する複数の分割部分のうち一又は複数の分割部分を組み合わせてなる受光領域Ｅ，Ｆ及び受光領域Ｇ，Ｈを有している。光検出器７４において、各受光領域Ａ〜Ｈにより検出した信号強度からメインプッシュプル信号ＭＰＰ、サブプッシュプル信号ＳＰＰ１，ＳＰＰ２を得て、これらから、トラッキングエラー信号ＤＰＰを得ることは、上述した光検出器３４と同様であるのでここでは詳細な説明は省略する。また、図１５中Ｓ１１，Ｓ１２，Ｓ１３は、上述した図４を用いて説明したのと同様であるので詳細な説明は省略する。
【０１１１】
光検出器７４において、副受光部としての受光部７４ｂは、図１５及び図１６に示すように、光ディスクの半径方向であるラジアル方向に対応する受光部７４ｂ上の第１の方向Ｄｒと、この第１の方向Ｄｒに直交する第２の方向Ｄｔとに対して傾斜した複数の分割線Ｌ４１，Ｌ４２，Ｌ４３，Ｌ４４によりそれぞれが受光部として機能する分割部分７５ｅ１，７５ｆ１，７５ｅ２，７５ｆ２，７５ｆ３に５分割されている。受光部７４ｂの５分割された各分割部分７５ｅ１，７５ｆ１，７５ｅ２，７５ｆ２，７５ｆ３のうち複数の分割部分７５ｅ１，７５ｅ２からなる第１の分割部群７５ｅと、５分割された各分割部分のうち残りの複数の分割部分７５ｆ１，７５ｆ２，７５ｆ３からなる第２の分割部群７５ｆとは、第１の方向Ｄｒのいずれの位置においても、それぞれを構成する複数の分割部分の第２の方向Ｄｔの寸法の合計が等しく形成されている。尚、第１の分割部群７５ｅは、上述した受光領域Ｅとして機能し、第２の分割部群７５ｆは、上述した受光領域Ｆとして機能する。
【０１１２】
尚、以上のように説明した受光部７５ｂは、図１０を用いて説明した受光部５４ｂの受光領域Ｅ，Ｆのように分割された状態から、図１６中破線で示される部分をさらに分割して、それぞれ分割部分７５ｅ２、分割部分７５ｆ２及び分割部分７５ｆ３として第２の方向Ｄｔに平行に移動したような構成となっている。このことからも、上述した各分割部分の第２の方向Ｄｔの寸法の合計が等しくなっていること及び後述する他の記録層の記録部及び未記録部により反射された光強度の高い部分及び低い部分の面積が等しくなることが示されている。
【０１１３】
また、図１５に示すように、副受光部としての受光部７４ｃについても上述の受光部７４ｂと同様に、第１の方向Ｄｒと、第２の方向Ｄｔとに対して傾斜した複数の分割線Ｌ４５，Ｌ４６，Ｌ４７，Ｌ４８によりそれぞれが受光部として機能する分割部分７５ｇ１，７５ｈ１，７５ｇ２，７５ｈ２，７５ｇ３に５分割されている。受光部７４ｃの５分割された各分割部分７５ｇ１，７５ｈ１，７５ｇ２，７５ｈ２，７５ｇ３のうち複数の分割部分７５ｇ１，７５ｇ２，７５ｇ３からなる第３の分割部群７５ｇと、５分割された各分割部分のうち残りの複数の分割部分７５ｈ１，７５ｈ２からなる第４の分割部群７５ｈとは、第１の方向Ｄｒのいずれの位置においても、それぞれを構成する複数の分割部分の第２の方向Ｄｔの寸法の合計が等しく形成されている。尚、第３の分割部群７５ｇは、上述した受光領域Ｇとして機能し、第４の分割部群７５ｈは、上述した受光領域Ｈとして機能する。
【０１１４】
また、受光部７４ｂの一方の受光領域Ｅは、その分割部分７５ｅ１が、第１のサブビームが光ディスク２の記録層に集光されて反射される際に回折されることにより記録層で発生する第１のサブビームの±１次回折光と、第１のサブビームが光ディスクの記録層で反射された第１のサブビームの０次光とが受光部７４ｂ上で重複される重複部分α１，α２の一方の重複部分α１を受光するように形成されている。また、受光部７４ｂの他方の受光領域Ｆは、その分割部分７５ｆ１が、この重複部分α１，α２の他方の重複部分α２を受光するように形成されている。
【０１１５】
同様に、受光部７４ｃの一方の受光領域Ｇは、その分割部分７５ｇ１が、第２のサブビームが光ディスクの記録層に集光されて反射される際に回折されることにより記録層で発生する第２のサブビームの±１次回折光と、第２のサブビームが光ディスクの記録層で反射された第２のサブビームの０次光とが受光部７４ｃ上で重複される重複部分β１，β２の一方の重複部分β１を受光するように形成されている。また、受光部７４ｃの他方の受光領域Ｈは、その分割部分７５ｈ１が、この重複部分β１，β２の他方の重複部分β２を受光するように形成されている。
【０１１６】
以上のように構成された副受光部としての受光部７４ｂ，７４ｃは、上述した受光部３４ｂ，３４ｃ，６４ｂ，６４ｃと同様に、他の記録層の記録部及び未記録部の境界付近に光ビームが照射され反射された光ビームの状態に拘わらず、この他の記録層の記録部及び未記録部からの反射率の影響を受けることなく、本来検出すべきスポットＳ１２，Ｓ１３を検出して所望のサブプッシュプル信号を得ることができる。
【０１１７】
以上のように、副受光部としての受光部５４ｂ，５４ｃ，６４ｂ，６４ｃ，７４ｂ，７４ｃを有する光検出器５４，６４，７４を備える本発明を適用した光ピックアップ７は、光源３１、回折素子３２、対物レンズ３３及び光検出器５４，６４，７４を備え、光検出器の副受光部としての受光部５４ｂ，５４ｃ，６４ｂ，６４ｃ，７４ｂ，７４ｃが第１の方向Ｄｒと、第２の方向Ｄｔとに対して少なくともその一部が傾斜した一又は複数の分割線により複数の分割部分に分割され、それぞれ一又は複数の分割部分からなる受光領域Ｅと受光領域Ｆとが第１の方向Ｄｒのいずれの位置においても一又は複数の分割部分の第２の方向Ｄｔの寸法の合計が等しく形成され、それぞれ一又は複数の分割部分からなる受光領域Ｇと受光領域Ｈとが第１の方向Ｄｒのいずれの位置においても、一又は複数の分割部分の第２の方向Ｄｔの寸法が等しく形成されていることから、フォーカス記録層とは異なる他の記録層の記録部及び未記録部の境界に位置して光ビームが反射されこの戻り光が副受光部に入射された場合にも、記録部及び未記録部の反射率の違いが受光領域Ｅ，Ｆに与える影響及び受光領域Ｇ，Ｈに与える影響を低減して、すなわち、他の記録層で反射された光ビームが、フォーカス記録層からの副受光部への戻り光に対して与える影響を低減して、各受光部上のスポットＳ１１，Ｓ１２，Ｓ１３により検出される例えばトラッキングエラー信号にノイズ成分が発生することを簡易な構成で防止して良好なトラッキングエラー信号等の各種信号を得ることができる。
【０１１８】
また、本発明を適用した光ディスク装置１は、上述の光ピックアップ７を備えることにより、情報の記録又は再生が行われるフォーカス記録層とは異なる他の記録層の記録部及び未記録部の境界に位置して光ビームが反射されこの戻り光が副受光部に不要光として入射された場合にも、記録部及び未記録部の反射率の違いが副受光部の第１及び第２の受光領域としての受光領域Ｅ，Ｆ及び受光領域Ｇ，Ｈに与える影響を低減して、すなわち、他の記録層で反射された光ビームが、フォーカス記録層からの受光部への戻り光に対して与える影響を低減して、受光部上のスポットにより検出される信号にノイズ成分が発生することを簡易な構成で防止して良好な各種信号を得ることを実現する。さらに、光ディスク装置１は、多層構造とされ記録容量の大容量化を実現する光ディスクに対して、フォーカス記録層とは異なる他の記録層の記録部及び未記録部の反射率の違いによる影響を低減してノイズ成分の発生を防止することにより良好な記録再生特性を実現する。
【図面の簡単な説明】
【０１１９】
【図１】本発明を適用した光ディスク装置の概略を示す斜視図である。
【図２】本発明を適用した光ディスク装置及び光ピックアップに用いられる光ディスクの概略を示す断面図である。
【図３】本発明を適用した光ピックアップの光学系を説明する光路図である。
【図４】光ピックアップを構成する光検出器の各受光部を示す平面図である。
【図５】本発明を適用した光ピックアップにおいて、フォーカス記録層とは異なる他の記録層の記録部及び未記録部の境界付近に光ビームが照射された場合に、記録部及び未記録部の反射率の違いによる光強度分布を有した他の記録層からの戻りの光ビームが光検出器の各受光部に入射した状態を説明する光検出器の平面図である。
【図６】光検出器に設けられた一方の副受光部の構成を詳細に説明するための平面図である。
【図７】本発明を構成する光ピックアップの光検出器と比較するための比較例の光検出器の平面図である。
【図８】比較例の光ピックアップにおいて、フォーカス記録層とは異なる他の記録層の記録部及び未記録部の境界付近に光ビームが照射された場合に、記録部及び未記録部の反射率の違いによる光強度分布を有した他の記録層からの戻りの光ビームが光検出器の各受光部に入射した状態を説明する光検出器の平面図である。
【図９】本発明を適用した光ピックアップの副受光部が、他の記録層の記録部及び未記録部の境界付近で反射された戻りの光ビームの影響を受けないことを説明するための図であり、（ａ）は、他の記録層の記録部及び未記録部の境界上に光ビームの中心が位置して照射される場合の副受光部の平面図であり、（ｂ）は、この境界上から光ビームの中心がずれた位置に光ビームが照射される場合の副受光部の平面図である。
【図１０】光ピックアップを構成する光検出器の他の例の各受光部を示す平面図である。
【図１１】光ピックアップを構成する光検出器の副受光部の他の例を示す図であり、（ａ）は、受光領域の一方及び他方が重複部分の大部分を受光する例の平面図であり、（ｂ）は、その一部に所定の方向に傾斜した部分を有する分割線により受光領域を形成した例の平面図であり、（ｃ）は、曲線状の分割線により受光領域を形成した例の平面図である。
【図１２】光ピックアップを構成する光検出器のさらに他の例の各受光部を示す平面図である。
【図１３】図１２に示す光検出器に設けられた一方の副受光部の構成を詳細に説明するための平面図である。
【図１４】図１２に示す光検出器に設けられた副受光部が、他の記録層の記録部及び未記録部の境界付近で反射された戻りの光ビームの影響を受けないことを説明するための副受光部の平面図である。
【図１５】光ピックアップを構成する光検出器のさらに他の例の各受光部を示す平面図である。
【図１６】図１５に示す光検出器に設けられた一方の副受光部の構成を詳細に説明するための平面図である。
【符号の説明】
【０１２０】
１  光ディスク装置、  ２  光ディスク、  ３  外筐、  ４  ディスクテーブル、  ６  リードスクリュー、  ７  光ピックアップ、  ８  移動ベース、  ３１  光源、  ３２  回折素子、  ３３  対物レンズ、  ３４  光検出器、  ３４ａ〜３４ｃ  受光部、  ３５  ビームスプリッタ、  ３６  コリメータレンズ、  ３７  １／４波長板、  ３８  集光レンズ
【図１】
2008140422.tif 000003
【図２】
2008140422.tif 000004
【図３】
2008140422.tif 000005
【図４】
2008140422.tif 000006
【図５】
2008140422.tif 000007
【図６】
2008140422.tif 000008
【図７】
2008140422.tif 000009
【図８】
2008140422.tif 000010
【図９】
2008140422.tif 000011
【図１０】
2008140422.tif 000012
【図１１】
2008140422.tif 000013
【図１２】
2008140422.tif 000014
【図１３】
2008140422.tif 000015
【図１４】
2008140422.tif 000016
【図１５】
2008140422.tif 000017
【図１６】
2008140422.tif 000018